(57)【特許請求の範囲】
【請求項１】
以下の要件を備えることを特徴とするリモート画像視認システム。
（イ）上記リモート画像視認システムは、通信ネットワークを介して遠隔制御されるカメラ装置と、該カメラ装置の撮影した画像を通信ネットワークを介して視認する携帯電話とを有すること
（ロ）上記カメラ装置は上記携帯電話からの呼び出し音の回数をカウントし、呼び出し音が所定の回数であれば撮像し、撮像した画像データを電子メールに添付して通信ネットワークを介して上記携帯電話を管理するユーザーが接続契約をした画像処理サーバーに送信すること
（ハ）上記画像処理サーバーは上記カメラ装置が送信した画像データを受信するとユーザー固有のフォルダに所定のファイル名で蓄積するとともに、該ファイル名を定義したＵＲＬ情報を添付した電子メールを上記携帯電話に送信し、上記カメラ装置が送信した画像データを受信したことを通信ネットワークを介して上記携帯電話に通知すること
（ニ）ユーザーは上記携帯電話で上記電子メールに記載されたＵＲＬ情報にしたがって上記画像処理サーバーにログインし、上記画像データを取得すること
【発明の詳細な説明】
【０００１】
【発明の属する技術分野】
本発明は、カメラ装置を遠隔制御して撮影し、撮影した画像は通信ネットワークを介して携帯電話で視認することができるリモート画像視認システムに関する。
【０００２】
【従来の技術】
従来、カメラ装置を遠隔操作し、撮影した画像を通信回線を介して見るシステムとして、遠隔監視システムが提案され、実用に供されている。
【０００３】
【発明が解決しようとする課題】
しかしながら、従来の遠隔監視システムは、監視側の監視装置の設置形態は固定されたもので、任意の場所でカメラ装置の撮影した画像を視認することはできない問題があった。
【０００４】
本発明は上記問題点を解消し、ユーザーが予め所定の場所にセットしたカメラ装置の撮影する画像を、任意の時間に、任意の場所で視認することができるリモート画像視認システムを提供することをその課題とする。
【０００５】
【課題を解決するための手段】
前記課題を解決するため、本発明に係るリモート画像視認システムは、以下の要件を備えることを特徴とする。
（イ）上記リモート画像視認システムは、通信ネットワークを介して遠隔制御されるカメラ装置と、該カメラ装置の撮影した画像を通信ネットワークを介して視認する携帯電話とを有すること
（ロ）上記カメラ装置は上記携帯電話からの呼び出し音の回数をカウントし、呼び出し音が所定の回数であれば撮像し、撮像した画像データを電子メールに添付して通信ネットワークを介して上記携帯電話を管理するユーザーが接続契約をした画像処理サーバーに送信すること
（ハ）上記画像処理サーバーは上記カメラ装置が送信した画像データを受信するとユーザー固有のフォルダに所定のファイル名で蓄積するとともに、該ファイル名を定義したＵＲＬ情報を添付した電子メールを上記携帯電話に送信し、上記カメラ装置が送信した画像データを受信したことを通信ネットワークを介して上記携帯電話に通知すること
（ニ）ユーザーは上記携帯電話で上記電子メールに記載されたＵＲＬ情報にしたがって上記画像処理サーバーにログインし、上記画像データを取得すること
【０００６】
【発明の実施の形態】
図1は、本発明に係るリモート画像視認システムのシステム構成図の一例を示し、このリモート画像視認システム（以下、視認システムという）は、離れた場所に設置されているカメラ装置１をユーザーの意志で作動させ、画像表示機能を有する携帯電話２で、通信ネットワーク３を介してカメラ装置１から離れた場所でカメラ装置１が撮影した画像を視認することができるようにしたものである。
【０００７】
カメラ装置１は、通信部、制御部及びカメラ部とから構成され、通信部であるモデムは電話回線を介して公衆回線網４に接続されている。カメラ装置１が接続された電話回線に外部から電話が掛けられて所定回数の呼び出し音がなると、制御部は呼び出し音をカウントし、カウント数が所定値であれば（例えば、２回）、カメラ部であるＣＣＤセンサによって撮像された被写体像を信号処理回路を介して画像データとしてメモリに記憶するとともに、電子メールを作成し、この電子メールに画像データを添付し、改めて通信部を介して公衆回線に接続し、公衆回線網４を介してインターネットサービスプロバイダー５のアクセスポイントにダイアルアップする。
【０００８】
カメラ装置１はインターネットサービスプロバイダー５に接続されると、制御部は画像データが添付された電子メールを送信する。電子メールを受信したインターネットサービスプロバイダー５は電子メールのメールアドレスに記載されたＷＷＷサーバー（画像処理サーバー）６に電子メールを転送する。
【０００９】
画像処理サーバー６は画像データを受信すると、宛先（ユーザーＩＤ）に対応してユーザー個別に設定されているユーザー固有のデータ領域に画像データを記憶し、ユーザーの携帯電話２に画像データを受信したことを知らせる電子メールを送信する。この電子メールには画像処理サーバー６のユーザー固有のデータ領域と画像データのファイル名が定義されたＵＲＬ情報が付与されている（例えば、http：//www.takara.co.jp/xxxx/yyyy.html/）。
【００１０】
携帯電話２は電子メール送受信機能を有するとともに、画像表示機能を有し、画像処理サーバー６の送信した電子メールは携帯電話の処理センター電子メールを受信すると適宜手段（着信メロディーやバイブレーション）でユーザーに知らせるので、ユーザーが電子メールを開くと画像表示機能である液晶ディスプレイにＵＲＬ情報が表示される。このＵＲＬ情報にはカメラ装置１がユーザー宛てに送信した画像データが記憶されているユーザー固有のデータ領域(xxxx)とファイル名（yyyy.html）が定義されているもので、ユーザーがＵＲＬ情報をクリックすることにより、携帯電話２はＵＲＬ情報に記述されている画像処理サーバー６にログインできる。携帯電話２が画像処理サーバー６にログインすると、画像処理サーバー６はユーザー固有のデータファイル領域(xxxx)からyyyy.htmlというファイル名の画像データを読み出し、ユーザーの携帯電話２に画像データをダウンロードするようになっている。
【００１１】
なお、図1において、符号８は携帯端末（ＰＤＡ）、符号９はパーソナルコンピュータを示し、ユーザーが画像処理サーバーに接続契約をしたものでり、画像処理サーバーが接続契約したユーザーの携帯電話に電子メールでファイル名を定義したＵＲＬ情報を通知し、ユーザーはそのＵＲＬ情報に基づいて画像処理サーバーにログインすることができれば携帯電話に限定されず、ＰＤＡやパーソナルコンピュータであっても構わない。
【００１２】
つぎに、ユーザーが携帯電話２でカメラ装置１を呼び出し、カメラ装置１に撮影させ、撮影した画像データをユーザーの携帯電話２で取得する状態を図２の流れ図によって説明する。
【００１３】
先ずユーザーは携帯電話２でカメラ装置１の接続されている電話回線にダイアルアップし（ａ１０１）、カメラ装置１を呼び出す（ａ１０２）。呼び出し音が所定回数出力されたことを確認するとユーザーは携帯電話２を切る。
【００１４】
カメラ装置１の制御部は、呼び出し音の回数をカウントし、呼び出し音が所定回数であるか否かを判断し、所定回数であればユーザーが画像を見たがっていると判断しＣＣＤセンサによって撮像された画像を信号処理回路を介して画像データとしてメモリに記憶し、画像データを電子メールに添付し、予め設定されているインターネットサービスプロバイダー５のアクセスポイントにダイアルアップし、インターネットサービスプロバイダー５に接続し画像データの添付された電子メールをインターネットサービスプロバイダー５に送信する（ａ１０３）。
【００１５】
インターネットサービスプロバイダー５はメールアドレスのドメイン名にしたがって対応するメールサーバー（画像処理サーバー６）にインターネット３を介して、受信した電子メールを画像処理サーバー６に転送する（ａ１０４）。
【００１６】
画像処理サーバー６は、受信したメールのユーザーＩＤからユーザーを認識し、ユーザー固有のデータ領域（xxxx）に、画像データを所定のファイル名（yyyy.html）で書き込む（ａ１０５）。
【００１７】
画像データの書き込みが終了すると、ユーザーに画像データの記憶されたファイル名を記述したＵＲＬ(例えば、http：//www.takara.co.jp/xxxx/yyyy.html/)を電子メールで送信する（ｂ１０１）。電子メールはインターネット３を介して、携帯電話サービスセンター７に送られ、携帯電話サービスセンター７は図示しない基地局を介してユーザーの携帯電話２に電子メールを送信する（ｂ１０２）。
【００１８】
電子メールを見たユーザーは画面に表示されたＵＲＬをクリックすると、そのＵＲＬに定義されたファイルが画像処理サーバー６から携帯電話にダウンロードされる（ｂ１０３、ｂ１０４）。
【００１９】
ダウンロードされた画像データは携帯電話のディスプレイに表示されるのでユーザーが視認することができる。
【００２０】
なお、図３は電話で撮影を指示し、撮影された画像をパーソナルコンピュータで見る場合を示し、携帯電話２若しくは据付電話１０でカメラ装置１の接続されている電話回線にダイアルアップし、カメラ装置１を呼び出す（ａ２０１）。呼び出し音が所定回数出力されたことを確認するとユーザーは携帯電話２若しくは据付電話１０を切る。
【００２１】
カメラ装置１の制御部は、呼び出し音の回数をカウントし、呼び出し音が所定回数であるか否かを判断し、所定回数であればユーザーが画像を見たがっていると判断しＣＣＤセンサによって撮像された画像を信号処理回路を介して画像データとしてメモリに記憶し、画像データを電子メールに添付し、予め設定されているインターネットサービスプロバイダー５のアクセスポイントにダイアルアップし、インターネットサービスプロバイダー５に接続し画像データの添付された電子メールをインターネットサービスプロバイダー５に送信する（ａ２０２）。
【００２２】
インターネットサービスプロバイダー５はメールアドレスのドメイン名にしたがって対応するメールサーバー（画像処理サーバー６）にインターネット３を介して、受信した電子メールを画像処理サーバー６に転送する（ａ２０３）。
【００２３】
画像処理サーバー６は、受信したメールのユーザーＩＤからユーザーを認識し、ユーザー固有のデータ領域（xxxx）に、画像データを所定のファイル名（yyyy.html）で書き込む（ａ２０４）。
【００２４】
画像データの書き込みが終了すると、画像処理サーバー６はユーザーに画像データの記憶されたファイル名を記述したＵＲＬを電子メールで送信する（ｂ２０１）。電子メールはインターネット３を介して、メールアドレスのドメイン名にしたがってインターネットサービスプロバイダー５´のメールサーバーに送信され、ユーザー固有のメモリ領域に保存される。
【００２５】
ユーザーはメールアカウントを持つインターネットサービスプロバイダー５´のメールサーバーにアクセスし（ｂ２０２）、電子メールを受け取る（ｂ２０３）。
【００２６】
電子メールを見たユーザーは画面に表示されたＵＲＬをクリックすると、そのＵＲＬに定義されたファイルが画像処理サーバー６からパーソナルコンピュータ９にダウンロードされる（ｂ２０４、ｂ２０５）。
【００２７】
ダウンロードされた画像データはパーソナルコンピュータ９のディスプレイに表示されるのでユーザーが先程撮影を指示したときの画像を視認することができる。
【００２８】
このように携帯電話をカメラ装置の電話回線にダイアルアップしてカメラ装置を遠隔操作して撮影すると、撮影したことが携帯電話やパーソナルコンピュータに電子メールで通知されるので、その通知にしたがって画像データの送信を要求すると、要求した画像データがユーザーの携帯電話やパーソナルコンピュータに送信されてくるので、ユーザーが自分の部屋の状態や飼育しているペットの状態を撮影できるように予めカメラ装置を設置し、ユーザーが見たい時にカメラ装置を作動させてカメラ視野内の様子を撮影し、撮影した画像を何処からでも見ることができ、ユーザーの意志が反映されるリモート画像視認システムを提供することができる。
【００２９】
【発明の効果】
請求項１の発明によれば、携帯電話でカメラ装置を遠隔操作してカメラ視野内の画像を取り込みを指示し、カメラ装置が取り込んだ画像はユーザー固有のフォルダにファイル名をつけて蓄積されるとともに、蓄積したことをユーザーに電子メールで通知するので、ユーザーの見たいときにいつでも、しかも何処からでも撮影を指示し、カメラ装置が撮影した画像を携帯電話で取得することができる。
【００３０】
しかも、画像処理サーバーはユーザーの携帯電話に送信する電子メールに画像データを蓄積したファイル名を定義したＵＲＬ情報を添付するので、ユーザーは添付されたＵＲＬ情報に基づいて前記画像処理サーバーにログインすることにより画像データを取得することができる。
【図面の簡単な説明】
【図１】本発明に係るリモート画像視認システムの一例を示すネットワーク構成図
【図２】携帯電話でカメラ装置の撮影した画像の取得の一例を説明する流れ図
【図３】携帯電話でカメラ装置の撮影した画像の取得の一例を説明する流れ図
【符号の説明】
１  カメラ装置
２  携帯電話
３  通信ネットワーク
４  公衆回線網
５  インターネットサービスプロバイダー
６  画像処理サーバー
【図１】
0003592234.tif 000002
【図２】
0003592234.tif 000003
【図３】
0003592234.tif 000004